(57)【要約】【課題】  シンプルな形状でありながら中味が見えることなく排泄物を処理することができると共に、引き出しを出し入れすることにより受蓋を開閉することができ、使用状態によって開閉できる車椅子用トイレ及び車椅子を提供する。【解決手段】  車椅子に着脱自在に取り付けられる車椅子用トイレにおいて、トイレ本体の上部に便受口を設けた便座部を設けると共に、該便座部の下方に、収納時は開口し、引出時には自動的に蓋が閉まるべくスライド蓋を設けた汚物タンクを内設してなることを特徴とする。【選択図】  図１
2005349158.tif 000002
【特許請求の範囲】
【請求項１】
車椅子に着脱自在に取り付けられる車椅子用トイレにおいて、トイレ本体の上部に便受口を設けた便座部を設けると共に、該便座部の下方に、収納時は開口し、引出時には自動的に蓋が閉まるべくスライド蓋を設けた汚物タンクを内設してなることを特徴とする車椅子用トイレ。
【請求項２】
便受口に、開閉自在な受蓋を設けると共に、該受蓋を開閉する開閉部を設けた引き出しを設けてなることを特徴とする請求項１記載の車掎子用トイレ。
【請求項３】
スライド蓋に、ストッパー部を設けると共に、ストッパー部を係止するため、トイレ本体内に係止片を設けてなることを特徴とする請求項１又は２記載の車椅子用トイレ。
【請求項４】
汚物タンクは、トイレ本体の後部より出し入れ自在に設けると共に、引き出しはトイレ本体の前部に設けてなることを特徴とする請求項１、２又は３記載の車椅子用トイレ。
【請求項５】
上記請求項１ないし請求項４記載の車椅子用トイレを取り付けてなることを特徴とする車椅子。
【発明の詳細な説明】
【技術分野】
【０００１】  本発明は、利用者や周囲の人々が快適に使用できる車椅子用トイレ及び車椅子に関するものである。
【背景技術】
【０００２】  背景技術としては、車椅子に取り付け可能なトイレであって、該トイレは中央に便受け口を形成する枠体と、該枠体の下に着脱可能に装着された便受け部からなり、該枠体には車椅子のフレームへ係合する係合部が設けられた車椅子用着脱式トイレがある。（特許文献１参照）【０００３】  また、別の従来技術として、車椅子の着座席に大・小便を感知するセンサーを付けた洗浄機能、排泄処理機能、防臭機能、乾燥機能を組み合せた簡易便器と洗浄、乾燥機能をもつ局部カバーの２つを設置する。シート背もたれ部には洗浄用水タンクがあり、内部にはヒーターが内蔵されており、その温度は自由に外部から調整できる。排泄処理した汚物は着座席下の汚物処理タンク内の収納ボックスに流れ込み、満杯になったときは警告ランプで知らせるようになっている。収納ボックスは取り外しができ、持ち運びができるようになっているため看護人が近くのトイレで処理することができる車椅子型介護用トイレがある。（特許文献２参照）
【特許文献１】  特開２００１−２８６４１６号公報
【特許文献２】  特開２００３−３１９９７５号公報
【発明の開示】
【発明が解決しようとする課題】
【０００４】  上記前者においては、中央に便受け口を形成する枠体と、着脱可能に装着された便受け部とからなる車椅子用着脱式トイレで、排便後に悪臭が上方より放出されるもので、また、排泄物を処理する時、中味が丸見えであり、作業者が苦痛である。【０００５】  また、上記後者においては、洗浄機能、排泄処理機能、防臭機能等を有している高級機種であるが、コスト的に高く、一般の方には不向きであり、基本的には排泄作業がスムーズに行えるものを市場としては望んでいる。【０００６】  本発明は、このような従来の構成が有していた問題を解決しようとするものであり、シンプルな形状でありながら中味が見えることなく排泄物を処理することができると共に、引き出しを出し入れすることにより受蓋を開閉することができ、使用状態によって開閉できる車椅子用トイレ及び車椅子を提供することを目的とする。
【課題を解決するための手段】
【０００７】  そして、本発明は上記目的を達成するために、車椅子に着脱自在に取り付けられる車椅子用トイレにおいて、トイレ本体の上部に便受口を設けた便座部を設けると共に、該便座部の下方に、収納時は開口し、引出時には自動的に蓋が閉まるべくスライド蓋を設けた汚物タンクを内設してなること。便受口に、開閉自在な受蓋を設けると共に、該受蓋を開閉する開閉部を設けた引き出しを設けてなること。スライド蓋に、ストッパー部を設けると共に、ストッパー部を係止するため、トイレ本体内に係止片を設けてなること。汚物タンクは、トイレ本体の後部より出し入れ自在に設けると共に、引き出しはトイレ本体の前部に設けてなることを特徴とする。
また、上記請求項１ないし請求項４記載の車椅子用トイレを取り付けてなることを特徴とする車椅子。
【発明の効果】
【０００８】  車椅子用トイレにおいては、
１）、スライド蓋を設けた汚物タンクにより、取り出し時に自動的にスライド蓋が閉まり、内部を見ることなく、排泄できる効果がある。
２）、スライド蓋を設けた汚物タンクにより、トイレ本体内に挿入した時点で開口しており、そのまま使用できる効果がある。
３）、開閉部を設けた引き出しにより、受蓋の開閉を自在に行えるため、便の状態を見ながら排泄でき、自分自身の健康状態をチェックできる。また、検便等を取る場合も受蓋を閉じれば簡単に取ることができる効果がある。
４）、ストッパー部と係止片によりスライド蓋の開閉が自在に行える効果がある。
車椅子においては、
１）、上記車椅子用トイレを車椅子に上方より簡単に取り付けられ、使用することができると共に、取り外しも上方より引き取ることができ、清掃等のメンテナンスも楽である。
【発明を実施するための最良の形態】
【実施例】
【０００９】  以下、本発明の実施の形態を図面に基づいて詳細に説明する。
１は、車椅子用トイレである。
２は、ＦＲＰ製等により成形されたトイレ本体で、上部に便受口２ａ１を設けた便座部２ａを設けると共に、内部後方に後述する汚物タンクを支持する後支持部２ｂと、内部前方に後述する引き出しを支持する前支持部２ｃを設けてなる。
なお、便受口２ａ１の下端に蝶番２ｄ２にて開閉自在な当板２ｄ１を突設した受蓋２ｄを設けてなる。
また、後述する汚物タンクのスライド蓋に対応する係止片２ｅを両側に突設してある。
さらに、車椅子のフレームに取り付けるべく、両側に凹部２ｆを形成してある。【００１０】  ３は、上記トイレ本体２内後部に設けてなる汚物タンクで、収納時は開口Ｋし、引出時には自動的に蓋が閉まるべく、取っ手３ａ１をタンク３ａの上面にスライド蓋３ｂを設けてなるものである。
このスライド蓋３ｂは、上面に開口部３ｂ１ｂを設けた固定蓋３ｂ１の突設したガイドピン３ｂ１ａに、両側に溝３ｂ２ａを形設すると共に、前方中央にガイドピン３ｂ２ｂを突設した第１スライド蓋３ｂ２を取り付け、ガイドピン３ｂ２ｂに、中央に溝３ｂ３ａを形設すると共に、先端両側にポールＢがスプリング（図示せず）にて出入するストッパー部３ｂ３ｂを設けてなる第２スライド蓋３ｂ３を取り付けてなるものである。
なお、固定蓋３ｂ１の先端部両側に、第２スライド蓋３ｂ３を水平方向に保持する保持板３ｂ１ｃを設けてなる。
また、ストッパー部３ｂ３ｂのボールＢは、横幅より適宜突出してなるものである。【００１１】  ４は、受蓋２ｄを開閉すべく、取っ手４ａ１を設けた箱本体４ａの後端面に、平板状の開閉部４ａ１を突設してなる引き出しで、トイレ本体２内の前部に設けてなるもので、通常は引き出し４はトイレ本体２内に収納している。（受蓋２ｄは閉じている）
なお、箱本体４ａ内にはティッシュ等の小物を入れて使用する。【００１２】  つぎに、車椅子について説明する。
この車椅子１０は、車椅子本体１１の横フレーム１１ａに設けた支持具１１ｂに車椅子用トイレ１の凹部２ｆを上方より挿入し、係止してなるものである。
なお、蓋Ｆは必要に応じて設ければよい。【００１３】  つづいて、車椅子１０における車椅子用トイレ１の使用例について説明する。
まず、トイレ本体２の上面に座り、引き出し４の取っ手４ａ１を掴み、前方へ引き出すことにより開閉部４ａが、当板２ｄ１から外れ受蓋２ｄが吊下状態になり便受口２ａ１が開口する。（図４参照）
この状態で、排便等を行い、汚物は汚物タンク３内に留められる。
その後、引き出し４の箱本体４ａ内のティッシュ等を取り出し、用を済ませる。【００１４】  つづいて、引き出し４を押し込み、開閉部４ａにて受蓋２ｄを押し上げ閉じる。（図１参照）
そして、汚物タンク３の取っ手３ａ１を掴み、引き出すことにより、スライド蓋３ｂのストッパー部３ｂ３ｂのボールＢが係止片２ｅに当り係止され、まず第１スライド蓋３ｂ３が移動し、連続してガイドピン３ｂ２ｂにて第２スライド蓋３ｂ２が移動し、スライド蓋３ｂが開口部３ｂ１ｂを閉じた状態とし、最終的に引き出すことにより、ボールＢが引っ込み、係止片２ｅから外れ、汚物タンク３を取り外すことができるもので、清掃後において、再度挿入（この時、スライド蓋３ｂは畳んだ状態が望ましい）して使用するものである。（図４参照）【００１５】  なお、車椅子用トイレ１は、車椅子本体１１より上方に引き抜くことにより簡単に取り外すことができ、メンテナンス等も楽である。【００１６】  上記実施例において、車椅子用トイレの材質等は特に限定することはない。
また、引き出しや汚物タンクの形状は、同様な機能を有するものであれば、他の形状でもよい。
【図面の簡単な説明】
【００１７】
【図１】本発明の実施形態を示す車椅子用トイレの縦断側面図。
【図２】本発明の実施形態を示す車椅子用トイレの平面図。
【図３】本発明の実施形態を示す車椅子用トイレの側面図。
【図４】本発明の実施形態を示す車椅子用トイレの引き出しと汚物タンクを移動させた縦断側面図。
【図５】本発明の実施形態を示す車椅子用トイレの汚物タンクの平面図。
【図６】本発明の実施形態を示す車椅子用トイレの汚物タンクの縦断側面図。
【図７】本発明の実施形態を示す車椅子用トイレの引き出しの平面図。
【図８】本発明の実施形態を示す車椅子の斜視図。
【符号の説明】
【００１８】１−−−車椅子用トイレ
２−−−トイレ本体
３−−−汚物タンク
４−−−引き出し
１０−−車椅子
１１−−車椅子本体
【図１】
2005349158.tif 000003
【図２】
2005349158.tif 000004
【図３】
2005349158.tif 000005
【図４】
2005349158.tif 000006
【図５】
2005349158.tif 000007
【図６】
2005349158.tif 000008
【図７】
2005349158.tif 000009
【図８】
2005349158.tif 000010